(57)【要約】【課題】バイオマス樹脂の耐衝撃性を補いながら、バイオマス樹脂の二酸化炭素排出削減効果を利用することができて、処分をし易くすることのできるマネキンを提供すること。【解決手段】厚さが０．５〜５ｍｍのバイオマス樹脂シートによって、人体またはその一部を模して形成したマネキンであって、バイオマス樹脂シートを、バイオマス樹脂と、熱可塑性エラストマーと、残部の添加剤とを含む組成物により形成したものとしたこと。【選択図】図１
0003140103.tif 000002
【実用新案登録請求の範囲】
【請求項１】
厚さが０．５〜５ｍｍのバイオマス樹脂シートによって、人体またはその一部を模して形成したマネキンであって、
前記バイオマス樹脂シートを、バイオマス樹脂と、熱可塑性エラストマーと、残部の添加剤とを含む組成物により形成したものとしたことを特徴とするマネキン。
【請求項２】
前記マネキンの表面を、ニット織りした竹繊維布によって被覆したことを特徴とする請求項１に記載のマネキン。
【考案の詳細な説明】
【技術分野】
【０００１】
本発明はマネキンに関し、特に、ポリ乳酸を代表とするバイオマス樹脂シートによって成形したマネキンに関するものである。
【背景技術】
【０００２】
マネキンは、人が着たり身に付けたりする様々な商品を展示するために使用されるものであるが、「ボディータイプ」と「レリーフタイプ」に大別することができる。いずれにしても、マネキンは、人体全体あるいは部分を模した形状のものに作られ、ボディータイプのマネキンとしては、全身あるいは半身模擬体は勿論のこと、頭部のみ、胸部のみ、腰部のみ、脚部や腕部のみのもの等が提案されている。一方、レリーフタイプのマネキンとしては、人体全体や部分の模擬体の半割れにしたもので、肌着やアクセサリー等の商品を壁に掛けるようにして展示するために使用されるものである。
【０００３】
このような種々なタイプのマネキンは、古くなったり、展示すべき商品のイメージに合わせたデザインのものにするために、新しいものに交換されるものであるが、それまで使用してきたマネキンは処分しなければならない。そのような処分を行い易くするものとして、出願人は、例えば、特許文献１において生分解性合成樹脂を採用したマネキンを提案してきている。
【特許文献１】特許第３７３１０４０号掲載公報
【考案の開示】
【考案が解決しようとする課題】
【０００４】
出願人が提案している上記特許文献１のマネキンは、
「厚さが０．５〜５ｍｍの生分解性ポリ乳酸発泡ボードが、人体少なくとも前面
の一部形状に型成形された生分解性ポリ乳酸発泡体製のマネキンにおいて、
前記生分解性ポリ乳酸発泡ボードは、４５〜６０℃で乾燥した生分解性ポリ乳酸ペレットに対して、発泡剤、滑剤並びに核剤をドライブレンドして得られる混合物を、シリンダー温度条件１３０〜１９０℃、ダイス温度条件１１０〜１７０℃にて長尺形に押出発泡成形し、波取り処理した後に、５０度以下に保持した成形ロールにて押出してなり、
前記生分解性ポリ乳酸ペレットの含有率が１０〜２５０ｐｐｍであることを特徴とする生分解性ポリ乳酸発泡体製のマネキン」
であり、生分解性を保持し、セルが緻密で均一な肉厚を有すると共に、弾性、復元力を有し、しかも優れた耐衝撃性と良好な寸法安定性等を備えた生分解性ポリ乳酸発泡体製のマネキンを提供することができたのである。
【０００５】
しかしながら、そのマネキンの使用範囲が広がり  これまで以上に耐衝撃性に対する要求が厳しくなることが想定されるのである。
【０００６】
このように、バイオマス樹脂は、マネキンの材料としてより高い耐衝撃性を求められているが、このバイオマス樹脂の特性は、石油資源の有効活用  また、二酸化炭素排出量の削減の為にも  一定期間後処分されることになるマネキンの処分のことを考えると利用したいものである。
【０００７】
一方、この種のマネキンは、展示すべき衣服やアクセサリーの交換時に静電気を発生し易いだけでなく、この静電気を帯びやすいものとなっているため、ホコリを吸着しやすい。また、人が素手で扱うことが多いことから、この種のマネキンにカビが生えたり、臭いを発するようになることもある。
【０００８】
そこで、本考案者は、バイオマス樹脂の使用量を出来るだけ維持し、バイオマス樹脂の耐衝撃性を高めることができるマネキンとするにはどうしたらよいかについて種々検討を重ねてきた結果、本考案を完成したのである。
【０００９】
すなわち、まず請求項１に係る考案の目的とするところは、バイオマス樹脂の使用量を維持し、バイオマス樹脂の特性を保持することができて、耐久性の高くすることのできるマネキンを提供することにある。
【００１０】
また請求項２に係る考案の目的とするところは、上記請求項１の目的を達成することができて、しかも静電気の発生を抑えることができるだけでなく、抗菌作用をも発揮することができるマネキンを提供することにある。
【課題を解決するための手段】
【００１１】
以上の課題を解決するために、まず、請求項１に係る考案の採った手段は、後述する最良形態の説明中で使用する符号を付して説明すると、
「厚さが０．５〜５ｍｍのバイオマス樹脂シート１１によって、人体またはその一部を模して形成したマネキンであって、
バイオマス樹脂シート１１を、バイオマス樹脂と、熱可塑性エラストマーと、残部の添加剤とを含む組成物により形成したものとしたことを特徴とするマネキン１０」
である。
【００１２】
すなわち、この請求項１の係るマネキン１０は、バイオマス樹脂シート１１を基本材料としたものであり、このバイオマス樹脂シート１１を、図３及び図３に示すような後型３２及び前型３１によって型成形して、図１及び図２に示すような前半身体１２及び後半身体１３を一体化させて形成したものである。勿論、この図１に示したマネキン１０は、前述したボディータイプのものであるが、図８に示すようなレリーフタイプのものにも成形されることは言うまでもない。
【００１３】
さて、この請求項１に係るマネキン１０は、その基本材料であるバイオマス樹脂シート１１をバイオマス樹脂と熱可塑性エラストマーと、残部の添加剤とを含む組成物により形成したものである。
【００１４】
バイオマス樹脂が必要な理由は、石油資源の有効活用  また、地球温暖化防止の為、二酸化炭素排出量の削減できる機能を付与できるようにしておきたいからである。
【００１５】
ここで、バイオマス樹脂があまり少ないと、完成後のマネキン１０に対する十分な二酸化炭素排出削減効果を付与できないものである。反対に、バイオマス樹脂が多過ぎるとと、マネキン１０を割れやすく脆いものとしてしまうのである。その意味では、このバイオマス樹脂の割合は、４０〜６０重量％前後にするのが最も好ましいものである。
【００１６】
また、熱可塑性エラストマーが必要な理由は、この熱可塑性エラストマーの弾力性を有効に利用してバイオマス樹脂の脆さを低減させ、完成後のマネキン１０の耐衝撃性を向上させたいからである。
【００１７】
ここで、熱可塑性エラストマーが３０あまり少ないと完成後のマネキン１０に対する十分な耐衝撃性を付与することができなくなる。反対に、熱可塑性エラストマーが多過ぎると、バイオマス樹脂が相対的に少なくなってしまって、このバイオマス樹脂の二酸化炭素排出削減効果を十分発揮させることができなくなるのであり、その意味では、この熱可塑性エラストマーの割合を４０〜６０重量％とするのが最も好ましいものである。
【００１８】
なお、添加剤については、この種のバイオマス樹脂及び熱可塑性エラストマーを混合してバイオマス樹脂シート１１とする場合に必要な一般的なものである。
【００１９】
また、以上のような割合の場合のバイオマス樹脂及び熱可塑性エラストマーを使用して形成したバイオマス樹脂シート１１については、その厚さが０．５〜５ｍｍである必要があるが、その理由は、このバイオマス樹脂シート１１から、例え
ば図３の前型３１によって前半身体１２を型形成する際に、前半身体１２の凹凸をくっきりさせたいからである。このバイオマス樹脂シート１１の厚さが０．５ｍｍより薄いと完成後のマネキン１０に充分な剛性が付与できなくなり、これに反
して５ｍｍよりも厚いと、成型時に「割れ」等のトラブルが発生しやすくなるから
である。
【００２０】
従って、以上のように構成した請求項１のマネキン１０は、バイオマス樹脂による二酸化炭素排出削減効果を有したまま、熱可塑性エラストマーによる耐衝撃性も有するものであるから、例えば１００％の石油由来樹脂を使用したものに比較すれば二酸化炭素の排出が少ないものとなっているだけでなく、取り扱い性も遜色ないものとなっている。
【００２１】
さて、上記課題を解決するために、請求項２に係る考案の採った手段は、上記請求項１のマネキン１０について、
「マネキン１０の表面を、ニット織りした竹繊維布２０によって被覆したこと」
である。
【００２２】
すなわち、この請求項２のマネキン１０は、図４及び図５に示すように、その表面をニット織りした竹繊維布２０によって被覆したものであり、この竹繊維布２０によって、静電気の発生が抑制されるとともに、抗菌作用が発揮されるものとなっているのである。
【００２３】
つまり、この請求項２のマネキン１０は、竹繊維布２０の静電気発生の抑制作用によって衣服等の商品の着せ替え作業を滑らかに行え、ホコリの吸着の抑制されて、常時美しい表面を保つことができるものとなっているのである。一般に、シルクや綿の布は、摩擦時に１０００ボルト程度の静電気を発生させることがあるが、竹繊維布２０はせいぜい８４ボルト程度の静電気しか発生しない。このため、竹繊維布２０によって被覆したマネキン１０は、衣服等の着せ替え時の摩擦力が非常に小さくなり、作業が容易になるだけでなく、ホコリの吸着が殆どないのである。
【００２４】
また、このマネキン１０の表面を被覆している竹繊維布２０は、それ自体抗菌作用を有しているのであるから、仮に、このマネキン１０の素手による取り扱いを行った際等に「有機物」の付着がマネキン１０にあったとしても、この有機物を養分とするような細菌の増殖、つまり、カビの発生は抑制されるのである。このため、この竹繊維布２０を被覆したマネキン１０は、カビが発生しないし、また臭気を発生させるようなこともないのである。
【００２５】
さらに、この竹繊維布２０については、「ニット織り」したものであることが必要である。その理由は、この竹繊維布２０がニット織りしたものであれば、十分な「伸縮性」を付与することができるので、前半身体１２や後半身体１３の表面形状がどんなに変化しても、この竹繊維布２０をこれら前半身体１２や後半身体１３の表面にぴったりと密着させることができるからである。換言すれば、この竹繊維布２０によって、図４に示すように、少し小さめの「肌着」状のものを形成しておいて、これを請求項１に係るマネキン１０に着せれば、マネキン１０の表面は、竹繊維布２０の伸縮性によって完全に密着状態で被覆させるのであり、マネキン１０のシルエットを損なうことはないのである。
【００２６】
勿論、この竹繊維布２０は、自然素材である「竹」を採用しているのであるから、これ自体も二酸化炭素排出削減効果を有したものとなっている。従って、この竹繊維布２０をマネキン１０とともに処分した際には、マネキン１０自体のバイオマス使用率と、竹繊維布２０自体によって、バイオマス利用率を向上することになるのである。
【００２７】
従って、この請求項２のマネキン１０は、上記請求項１のそれと同様な機能を発揮する他、表面を覆っている竹繊維布２０の作用によって、優れた抗菌作用、帯電防止作用、そして悪臭が発生することもないものとなっているのである。
【考案の効果】
【００２８】
以上、説明した通り、まず、請求項１に係る考案においては、
「厚さが０．５〜５ｍｍのバイオマス樹脂シート１１によって、人体またはその一部を模して形成したマネキンであって、
バイオマス樹脂シート１１を、バイオマス樹脂と、熱可塑性エラストマーと、残部の添加剤とを含む組成物により形成したものとしたこと」
に、その構成上の特徴があり、これにより、熱可塑性エラストマーによる所定の柔らかさを有したものとなっていて壊れにくくなっており、しかもバイオマス樹脂によって、廃棄する際の二酸化炭素排出削減効果を有したものとなっている。
【００２９】
また請求項２に係る考案にあっては、上記請求項１のそれについて、
「マネキン１０の表面を、ニット織りにした竹繊維布２０によって被覆したこと」
にその構成上の特徴があり、これにより、上記請求項１のそれと同様な効果を有することができる他、竹繊維布２０により優れた帯電防止機能及び抗菌作用を発揮させることのできるマネキン１０とすることができたのである。
【００３０】
そして、この請求項２のマネキン１０において採用している竹繊維布２０は、これ自体が言わば、天然繊維であるから、二酸化炭素排出削減効果を有しているだけでなく、天然繊維を採用していることから、十分な生分解性を有していることは言うまでもない。
【考案を実施するための最良の形態】
【００３１】
次に、上記のように構成した各考案について、図面に示した最良の形態であるマネキン１０について説明すると、図１には、本考案に係るマネキン１０の側面が示してあり、このマネキン１０は、前半身体１２と後半身体１３とを一体化した所謂「ボディータイプ」のものである。
【００３２】
つまり、この最良形態中で使用している「マネキン」なる用語は、商品である衣類を着脱可能とするための腕部、脚部及び頭部をも有した人体全身の模擬成形体だけでなく、図１に示したような胸部と腹部だけからなる人体の模擬成形体にも用いるものであり、これらは全てボディータイプのマネキンである。これに対して、図８のような人体胸部の前部形状のみのものを「レリーフタイプ」と言うが、「マネキン」なる用語は、このレリーフタイプのものや、めがねの展示を行う頭部だけのもの、時計や宝石を展示するための腕から先のもの、あるいは手首から先のものをも含むものである。
【００３３】
これらの前半身体１２及び後半身体１３は、図３に示した前型３１等を使用して型成形したものであるが、その材料は、図３中の二点鎖線にて示したバイオマス樹脂シート１１である。
【００３４】
本最良形態で採用したバイオマス樹脂シート１１は、５０重量％程度のバイオマス樹脂と、熱可塑性エラストマーと、残部の添加剤からなる、厚さが３ｍｍの
、文字通りの板材である。添加剤中には顔料を含むことも出来るが、この場合顔料としては、使用せず  原料本来の色と風合いを使用している。
【００３５】
以上の熱可塑性エラストマーを型成形するための前型３１等は、一例であり、必ずしも図３に示したものに限定されるものではなく、勿論、頭部のみのマネキン１０や、図８に示したようなレリーフタイプのマネキン１０を形成するにあたっては、それに応じたキャビティ３３を有するものに、これらの後型３２や前型３１が変更されることは言うまでもない。
【００３６】
この図３に示した前型３１は、バイオマス樹脂シート１１を真空または圧空成形するものであるから、バイオマス樹脂シート１１は熱可塑性である必要があるが、このバイオマス樹脂シート１１のバイオマス樹脂も竹繊維布２０も熱可塑性のものであるから、その必要条件を十分満たすものとなっていることは言うまでもない。
【００３７】
以上のような前型３１や図示しない後型によって形成された前半身体１２及び後半身体１３は、図６及び図７に示したように、所謂半割体であり、これらを合体させてマネキン１０とするのであるが、各前半身体１２及び後半身体１３の嵌合端部には、図２に示したように、連結嵌合部１４が形成してあり、これらの連結嵌合部１４を利用して互いに嵌合させて、接着剤等を利用して合体させることによりマネキン１０が形成されることになる。
【００３８】
なお、図１及び図２に示したマネキン１０は、このままの状態で商品の表示に供されることもあるが、通常は、図６に示したように、下部に下止め具１６を取り付けて、この下止め具１６を介して支持台１５上に取り付けて使用される。さらに、このマネキン１０に対しては図６に示したように、その上部に、頭部又はこれに代わる上止め具１７を取り付けたり、腕に代わる腕部１８を取り付けたりして使用される。
【００３９】
さて、図４及び図５には、上述したように成形したマネキン１０の表面を竹繊維布２０によって被覆したものが示してある。この竹繊維布２０は、竹の繊維（慈竹と呼ばれる種類の竹から取り出した繊維が多い）を紡績して糸にし、この糸によりニット織りして形成したものであり、伸縮性はもちろんのこと、竹繊維自体による帯電防止機能と、抗菌作用を有しているものである。
【００４０】
竹繊維布２０の帯電防止機能によって、この竹繊維布２０の表面に対して商品である衣服を脱着させる際に、静電気が殆ど発生しなくなり、衣服の脱着は余分な摩擦力を発生することなく円滑に行えるだけでなく、使用時にホコリの吸着を殆ど生じないのである。また、竹繊維布２０自体の抗菌作用によって、これのよって被覆したマネキン１０についても細菌の増殖を抑制するから、いやな臭いの発生もないのである。
【００４１】
さらに、この竹繊維布２０は、言わば天然繊維であるから、これ自体が生分解性を有しているだけでなく、所謂「草木染め」や「薬草染め」を実施することができるから、全体のイメージを自然なものにすることができるのである。
【図面の簡単な説明】
【００４２】
【図１】本考案に係るマネキンの側面図である。
【図２】図１中の１−１線に沿ってみた横断面図である。
【図３】同マネキンの前半身体を形成するための前型の斜視図である。
【図４】本考案に係る、竹繊維布を被覆させたマネキンの側面図である。
【図５】図４中の２−２線に沿ってみた横断面図である。
【図６】図１に示したマネキンに支持台や腕部を連結する様子を示した分解斜視図である。
【図７】同マネキンを構成する前型や後型を束ねた状態を示すもので、（ａ）は後半身体を束ねた斜視図、（ｂ）は前半身体を束ねた斜視図である。
【図８】レリーフタイプのマネキンを示すもので、（ａ）は斜視図、（ｂ）は側面図である。
【符号の説明】
【００４３】
１０  マネキン
１１  バイオマス樹脂シート
１２  前半身体
１３  後半身体
１４  連結嵌合部
１５  支持台
１６  下止め具
１７  上止め具
１８  腕部
１９  連結具
２０  竹繊維布
３１  前型
３３  キャビティ
３４  ゴム
【図１】
0003140103.tif 000003
【図２】
0003140103.tif 000004
【図３】
0003140103.tif 000005
【図４】
0003140103.tif 000006
【図５】
0003140103.tif 000007
【図６】
0003140103.tif 000008
【図７】
0003140103.tif 000009
【図８】
0003140103.tif 000010